(57)【要約】【課題】集積回路を含む部分を簡易に分離でき、通信性能を低下させることが可能な無線タグを提供する。【解決手段】タグアンテナ５２と、タグアンテナ５２に対して電気的に接続されたＲＦＩＤチップ５６と、タグアンテナ及びＲＦＩＤチップを一体的にパッケージングした難燃性フィルム（ＰＥＥＫ材等）６４ａ，６４ｂと、を備え、難燃性フィルム（ＰＥＥＫ材等）のＲＦＩＤチップを含む第１部分１２ＡとＲＦＩＤチップを含まない第２部分１２Ｂとの間の境界部分は、他の部分よりも破断しやすく加工されたミシン目７０とされている。【選択図】図３
2013242731.tif 000002
【特許請求の範囲】
【請求項１】
アンテナと、
前記アンテナに対して電気的に接続された集積回路と、
前記アンテナ及び前記集積回路を一体的にパッケージングしたパッケージと、を備え、
前記パッケージの前記集積回路を含む第１部分と前記集積回路を含まない第２部分との間の境界部分は前記パッケージの前記境界部分以外の部分よりも破断しやすく構成されていることを特徴とする無線タグ。
【請求項２】
前記境界部分に、少なくとも前記パッケージの端部に形成された切り込み部を有することを特徴とする請求項１に記載の無線タグ。
【請求項３】
前記切り込み部は、略平行に２つ形成され、
前記２つの切り込み部は、前記パッケージの端部からの長さが異なっていることを特徴とする請求項２に記載の無線タグ。
【請求項４】
前記第１部分は、前記パッケージの端部から所定方向に延びる帯状の部分であることを特徴とする請求項１〜３のいずれか一項に記載の無線タグ。
【請求項５】
前記第１部分は、前記パッケージの端部から所定方向に延びる平行な二辺を有し、かつ当該所定方向に垂直な方向に延びる辺を有さない多角形形状を有することを特徴とする請求項１〜３のいずれか一項に記載の無線タグ。
【請求項６】
前記境界部分に、ミシン目が付されていることを特徴とする請求項１〜５のいずれか一項に記載の無線タグ。
【発明の詳細な説明】
【技術分野】
【０００１】
本件は、無線タグに関する。
【背景技術】
【０００２】
情報を記憶するＩＣチップとアンテナ部を有するＲＦＩＤタグなどの無線タグは、電磁波を用いた無線通信によって、リーダ・ライタとの間でデータの送受信を実行する。無線タグの技術は、物流や商品管理、セキュリティなど多くの分野で利用されている。
【０００３】
無線タグは、対象とする物品に貼り付けたり、紐で繋ぐなどして物品に取り付けられ、物品の在庫管理などに用いられる。無線タグの応用例としては、識別対象物から剥がしたことを検知するＩＤラベルがある。このＩＤラベルは、包装や容器の開封の有無を検知するセキュリティ用途などに用いられる（例えば、特許文献１参照）。また、包装や容器の開封によってアンテナの一部（給電線路）が切断される無線タグを用い、当該無線タグとの通信可否に基づいて、包装や容器の開封の有無を判定する技術も提案されている（例えば、特許文献２参照）。
【先行技術文献】
【特許文献】
【０００４】
【特許文献１】特開２００１−１３８７４号公報
【特許文献２】特開２００９−２５１９４２号公報
【発明の概要】
【発明が解決しようとする課題】
【０００５】
無線タグを例えば航空機などにおいて用いる場合、強度や防水性、難燃性（ＳＡＥ  ＡＳ５６７８で規定）を確保するため、ＩＣチップやアンテナ部をＰＥＥＫ材のような難燃性樹脂等によりパッケージングすることが多い。このようなパッケージングされた無線タグを採用した場合、特許文献２のようにアンテナの一部（給電線路）を切断して通信性能を低下させるためには、鋏やナイフなどの用具を用いる必要がある。
【０００６】
そこで本件は上記の課題に鑑みてなされたものであり、集積回路を含む部分を簡易に分離でき、通信性能を低下させることが可能な無線タグを提供することを目的とする。
【課題を解決するための手段】
【０００７】
本明細書に記載の無線タグは、アンテナと、前記アンテナに対して電気的に接続された集積回路と、前記アンテナ及び前記集積回路を一体的にパッケージングしたパッケージと、を備え、前記パッケージの前記集積回路を含む第１部分と前記集積回路を含まない第２部分との間の境界部分は前記パッケージの前記境界部分以外の部分よりも破断しやすく構成されている。
【発明の効果】
【０００８】
本明細書に記載の無線タグは、集積回路を含む部分を簡易に分離でき、通信性能を低下させることができるという効果を奏する。
【図面の簡単な説明】
【０００９】
【図１】一実施形態に係る無線タグとの通信を行うリーダ・ライタの使用状態を示す図である。
【図２】収納袋を斜視図にて示す図である。
【図３】図３（ａ）は、開封確認用無線タグの外観図を示す図であり、図３（ｂ）は、開封確認用無線タグが有するインレイを取り出した状態を示す図である。
【図４】図４（ａ）は、開封確認用無線タグの断面構造を模式的に示す図であり、図４（ｂ）は、剥離台紙上に貼付された状態の開封確認用無線タグの断面構造を模式的に示す図である。
【図５】開封確認用無線タグの第１部分近傍を拡大して示す図（インレイの図示は省略している）である。
【図６】開封確認用無線タグの第１部分（切り離し後）を拡大して示す図である。
【図７】図７（ａ）、図７（ｂ）は、比較例について説明するための図である。
【図８】開封確認用無線タグの取り付け方法について説明するための図である。
【図９】収納袋開封後の開封確認用無線タグの状態を示す図である。
【図１０】図１０（ａ）、図１０（ｂ）は、変形例について説明するための図（その１）である。
【図１１】図１１（ａ）〜図１１（ｃ）は、変形例について説明するための図（その２）である。
【図１２】図１２（ａ）、図１２（ｂ）は、変形例について説明するための図（その３）である。
【発明を実施するための形態】
【００１０】
以下、一実施形態について、図１〜図９に基づいて詳細に説明する。図１は、一実施形態に係る無線タグとの通信を行うリーダ・ライタ２０の使用状態を示す図である。このリーダ・ライタ２０は、航空機や船舶などの輸送機（本実施形態では航空機とする）内の点検確認作業を行う作業者によって利用される端末である。リーダ・ライタ２０は、主に、座席８０下に設置された収納袋１０（ライフジャケットが収納されている）の存在有無及び開封／未開封の情報を管理するための端末である。
【００１１】
図２には、収納袋１０が斜視図にて示されている。収納袋１０は、内部にライフジャケットを収納するための袋であり、その口部分には、図２に示すように複数の紐通し穴１４が設けられている。収納袋１０内にライフジャケットが収納された後に、紐通し穴１４の一部に留め具１６が取り付けられると、収納袋１０は、未開封の状態となる。
【００１２】
収納袋１０の一部には、存在確認用無線タグ１１が設けられている。存在確認用無線タグ１１は、例えばパッシブ型のＲＦＩＤタグを含み、リーダ・ライタ２０から送出されるＵＨＦ帯（例えば９２０ＭＨｚ）の電波を整流して駆動電力とし、当該駆動電力を利用してリーダ・ライタ２０との間で通信することで、存在確認用無線タグ１１の情報（タグＩＤ等）をリーダ・ライタ２０に送信する。
【００１３】
また、収納袋１０の口部分には、３つの紐通し穴１４（図８の紐通し穴１４Ａ〜１４Ｃ）を利用して、開封確認用無線タグ１２が設けられている。開封確認用無線タグ１２は、パッシブ型のＲＦＩＤ（Radio Frequency IDentification）タグを含み、存在確認用無線タグ１１と同様、リーダ・ライタ２０から送出されるＵＨＦ(Ultra-High Frequency)帯（例えば９２０ＭＨｚ）の電波を整流して駆動電力とし、当該駆動電力を利用してリーダ・ライタ２０との間で通信することで、開封確認用無線タグ１２の情報（タグＩＤ等）をリーダ・ライタ２０に送信する。
【００１４】
図３（ａ）には、開封確認用無線タグ１２の外観図が示され、図３（ｂ）には、開封確認用無線タグ１２が有するインレイ６０を取り出した状態が示されている。また、図４（ａ）には、開封確認用無線タグ１２の断面構造が模式的に示されている。
【００１５】
これらの図に示すように、開封確認用無線タグ１２は、インレイ６０（図３（ｂ）参照）と、当該インレイ６０を難燃性両面テープ６２ａ，６２ｂを介して両側から挟む難燃性フィルム（ＰＥＥＫ材等）６４ａ，６４ｂとを有する（図４（ａ）参照）。
【００１６】
インレイ６０は、図３（ｂ）に示すように、ＰＥＴ（Polyethylene terephthalate）等を材料とするフィルム５１と、アンテナ部としてのタグアンテナ５２と、給電線路（ストラップ）５４と、集積回路としてのＩＣチップ（ＲＦＩＤチップ）５６とを有する。
【００１７】
タグアンテナ５２は、アルミニウム等の金属の箔をエッチングしたり、銀粒子を主成分とする導電性塗料を印刷することによって、フィルム５１表面に設けられている。タグアンテナ５２は、略矩形形状を有し、中央に略Ｓ字状のスリットが形成されている。タグアンテナ５２のアンテナゲインは、概ね０．１〜２ｄＢｉの範囲となるように設計されており、タグアンテナは周波数が９２０ＭＨＨｚ近傍の電波の送受信ができる形状となっている。リーダ・ライタ２０のアンテナ正面に開封確認用無線タグ１２を正対させ、リーダ・ライタ２０からの送信出力を２Ｗ ＥＩＲＰとした場合、リーダ・ライタ２０と開封確認用無線タグ１２との間の通信距離は２ｍ越となる。
【００１８】
ストラップ５４は、銅などの導電性金属を材料とし、タグアンテナ５２の中央部近傍においてスリットを架橋するように設けられている。ＲＦＩＤチップ５６は、ストラップ５４の中央部近傍に設けられている。これにより、ＲＦＩＤチップ５６は、ストラップ５４を介して、タグアンテナ５２と電気的に接続されることになる。なお、ＲＦＩＤチップ５６は、ロジック回路、メモリ回路、アナログＲＦ回路を含んでいる。
【００１９】
難燃性フィルム６４ａ，６４ｂは、ポリエーテル・エーテル・ケトン（Polyether ether ketone)を材料としたフィルムであり、高い耐熱性、機械的強度、耐薬品性、難燃性を有する。なお、難燃性フィルム６４ａ，６４ｂは、タグアンテナ５２及びＲＦＩＤチップ５６を一体的にパッケージングしたパッケージであるといえる。
【００２０】
難燃性フィルム６４ａ，６４ｂのインレイ６０近傍には、図３（ａ）に示すように、第１の貫通孔５８ａと、第１の貫通孔５８ａよりも径が小さい複数の第２の貫通孔５８ｂと、が形成されている。これら第１、第２の貫通孔５８ａ，５８ｂは、収納袋１０に対して結束バンドを用いて開封確認用無線タグ１２を取り付ける際に用いられる孔である。図３（ａ）では、第２の貫通孔５８ｂの径は、第１の貫通孔５８ａの径よりも小さい。しかし、第２の貫通孔５８ｂの径は、第１の貫通孔５８ａと同等あるいは第一の貫通孔５８ａが大きくてもよい。
【００２１】
なお、開封確認用無線タグ１２は、製造上の制約により、図４（ｂ）に示すように、剥離台紙６８上に貼付された状態で出荷等される。しかるに、本実施形態では、開封確認用無線タグ１２は、結束バンドを用いて収納袋１０に取り付けられるため剥離台紙６８に貼付される面に両面テープ等が付着したままでは使い勝手が悪い。そこで、本実施形態では、剥離台紙６８と開封確認用無線タグ１２との間に両面テープ６７と微粘着フィルム６６とを介在させている。これにより、剥離台紙６８から開封確認用無線タグ１２を剥がすときには、微粘着フィルム６６と難燃性フィルム６４ｂとの間が剥がれるようにすることができる。この場合、開封確認用無線タグ１２に両面テープ６７が残ることがなくなるので、開封確認用無線タグ１２の使い勝手を向上することができる。結束バンドは、例えば針金など結束帯である。
【００２２】
ここで、開封確認用無線タグ１２のＲＦＩＤチップ５６を含む第１部分（五角形部分）（図３（ａ）等において符号「１２Ａ」で表記）と、開封確認用無線タグ１２の第１部分以外の第２部分（符号「１２Ｂ」で表記）、との間の境界部分には、他の部分よりも破断しやすく加工されたミシン目７０が形成されている。なお、ミシン目７０は、難燃性フィルム６４ａ，６４ｂと、インレイ６０とを貫通するように形成されている。
【００２３】
以下、図５に基づいて、ミシン目７０の詳細について説明する。図５は、開封確認用無線タグ１２の第１部分１２Ａ近傍を拡大して示す図（ただし、インレイの図示は省略している）である。
【００２４】
ミシン目７０は、図５に示すように、開封確認用無線タグ１２の短手方向（紙面上下方向）に沿った２辺と、短手方向及び長手方向に交差する方向に延びる２辺と、に沿って設けられた（第１部分１２Ａの外縁に沿って設けられた）切り込み部分７０Ａ〜７０Ｗを有する。切り込み部分７０Ａ〜７０Ｗのうちの大半の切り込み部分７０Ｂ〜７０Ｖの全長は、１．０ｍｍ〜５．０ｍｍ（図５では、２．０ｍｍ）とされている。また、隣接する切り込み部分７０Ａ〜７０Ｗ間の間隔は、０．１ｍｍ〜０．５ｍｍ（図５では、０．５ｍｍ）とされている。なお、切り込み部分及び切り込み部分間の間隔の範囲は、発明者による実験の結果求められた適切な範囲ではあるが、当該適切な範囲は、開封確認用無線タグ１２の材料等によって変動する。
【００２５】
また、切り込み部分７０Ａ、７０Ｗに関しては、一方の切り込み部分７０Ａの長さが難燃性フィルム６４ａ，６４ｂの端部から１．５ｍｍであるのに対し、他方の切り込み部分７０Ｗの長さは難燃性フィルム６４ａ，６４ｂの端部から１．０ｍｍに設定されている。このようにすることで切り込み部分７０Ａ〜７０Ｊと、切り込み部分７０Ｎ〜７０Ｗの、図５の紙面内縦方向の位置をずらすことができる（左右段違いにできる）。これにより、第１部分１２Ａを力Ｆによって第２部分１２Ｂから引き裂く際の、左右隣り合う切り込み部分における応力の均衡を防止することができるので、第１部分１２Ａの第２部分１２Ｂからの切り離しを簡易に行うことが可能となる。
【００２６】
また、切り込み部分７０Ｊ、７０Ｌ、７０Ｎは、屈折した形状を有し、それぞれのなす角が１２０°とされている。これにより、力Ｆは、切り込み部分７０Ｊ，７０Ｌ，７０Ｎにおいて切り込みに沿った方向に分割されるので、第１部分１２Ａの第２部分１２Ｂからの切り離し（切り込み部分に沿った切り離し）を簡易に行うことが可能となる。
【００２７】
上記のように第１部分が切り離された場合、図６に示すように、第１部分１２Ａには、例えばＲＦＩＤチップ５６の両側約１ｃｍの長さだけタグアンテナ５２が残ることになる。この場合、リーダ・ライタ２０からの送信出力が２Ｗ ＥＩＲＰであれば、開封確認用無線タグ１２とリーダ・ライタ２０との間の通信は不能となる。また、リーダ・ライタ２０の送信出力を増大して４Ｗ ＥＩＲＰとした場合でも、開封確認用無線タグ１２とリーダ・ライタ２０と間の通信距離は１０ｃｍ未満となり、遠距離からの通信（図１の状態での通信）には不十分となる。
【００２８】
ここで、図７（ａ）には、比較例としてのミシン目７０’が図示されている。この図７（ａ）に示すミシン目７０’は、略矩形状の形状（角部の角度が約９０°）を有している。このようなミシン目７０’を採用した場合、図７（ｂ）に示すような力Ｆを第１部分１２Ａに与えると、角部Ａ，Ｂにおいては、力Ｆが切り込み部分に沿った方向に分解されない。このため、力Ｆを加え続けると、図７（ｂ）に示すように第２部分１２Ｂを切り裂いてしまうような事態が発生する恐れがある。この場合、図７（ｂ）に示すように、タグアンテナ５２の多くの範囲がＲＦＩＤチップ５６と接続されたままとなるので、比較的遠距離に位置するリーダ・ライタ２０との通信が可能となってしまうことになる。
【００２９】
本実施形態では、作業者は、上記のように構成される開封確認用無線タグ１２の２つの第２の貫通孔５８ｂに対して、図８に示すように結束バンドを通し、かつ当該結束バンドを収納袋１０の紐通し穴１４Ｂ，１４Ｃに通して結束することで、収納袋１０に開封確認用無線タグ１２を取り付ける。そして、作業者は、図２に示すように留め具１６で収納袋１０の口を塞いだ後（未開封とした後）、開封確認用無線タグ１２の第１の貫通孔５８ａに対して、結束バンドを通し、かつ当該結束バンドを収納袋１０の紐通し穴１４Ａ（図８参照）に通して結束する（図２参照）。
【００３０】
この場合、航空機の乗客等が収納袋１０を図９に示すように開封すると、開封確認用無線タグ１２の第１部分１２Ａと第２部分１２Ｂとが切り離されることになる。
【００３１】
本実施形態では、ライフジャケットの点検を行う作業者が図１に示すようにリーダ・ライタ２０を保持しつつ、座席間の通路を移動することで、各ライフジャケットの収納袋１０に設けられた存在確認用無線タグ１１及び開封確認用無線タグ１２と通信を行い、各タグの情報（タグＩＤなど）を収集する。そして、リーダ・ライタ２０は、ある座席８０に設置された収納袋１０に設けられた存在確認用無線タグ１１及び開封確認用無線タグ１２のそれぞれと通信ができた場合には、当該収納袋１０が未開封の状態で座席８０下に存在していることを検出する。また、リーダ・ライタ２０は、ある座席８０に設置された収納袋１０に設けられた存在確認用無線タグ１１及び開封確認用無線タグ１２のうち、存在確認用無線タグ１１のみと通信ができた場合には、当該収納袋１０が開封された状態で座席８０下に存在していることを検出する。更に、リーダ・ライタ２０は、ある座席８０に設置された収納袋１０に設けられた存在確認用無線タグ１１及び開封確認用無線タグ１２のいずれとも通信ができない場合には、当該収納袋１０が座席８０下に存在していないことを検出する。
【００３２】
以上、詳細に説明したように、本実施形態によると、開封確認用無線タグ１２は、タグアンテナ５２と、タグアンテナ５２に対して電気的に接続されたＲＦＩＤチップ５６と、これらを一体的にパッケージングした難燃性フィルム６４ａ，６４ｂと、を有しており、ＲＦＩＤチップ５６を含む第１部分１２Ａとそれ以外の第２部分１２Ｂとの間の境界部分が、他の部分よりも破断しやすく加工されたミシン目７０とされている。これにより、本実施形態では、簡易に（例えば鋏やカッターなどの用具を用いずに）、第１部分１２Ａと第２部分１２Ｂとを切り離すことが可能となる。したがって、本実施形態のように、未開封の収納袋１０に開封確認用無線タグ１２を取り付けておけば、収納袋１０が開封されたときに、開封確認用無線タグ１２に掛かる力によって第１部分１２Ａと第２部分１２Ｂとが切り離される。この場合、第１部分１２Ａには、タグアンテナ５２がわずかに残るのみなので、開封確認用無線タグ１２とリーダ・ライタ２０との遠距離通信が不可能となる。これにより、リーダ・ライタ２０を用いた収納袋１０の開封／未開封の確認を遠距離から容易に行うことが可能となる。この場合、座席８０下に格納されている全てのライフジャケット（収納袋１０）の点検において、作業員が座席８０下に潜り込む体勢で点検することが不要となるので、作業者の作業負荷が軽減され、点検作業を効率良く行うことができる。
【００３３】
また、本実施形態では、ミシン目７０の切り込み部分７０Ａ，７０Ｗは、難燃性フィルム６４ａ，６４ｂの端部からの長さが異なっている。これにより、第１部分１２Ａを第２部分１２Ｂから引き裂く際の、左右隣り合う切り込み部分における応力の均衡を防止することができるので、第１部分１２Ａの切り離しを簡易に行うことができる。
【００３４】
また、本実施形態では、第１部分１２Ａは、開封確認用無線タグ１２の端部から所定方向（図３（ａ）の上下方向）に延びる平行な二辺を有し、当該所定方向に垂直な方向に延びる辺を有さない多角形形状となっている。これにより、第１部分１２Ａに所定方向（図３（ａ）の上下方向）の力が加えられることで、所定方向に延びる二辺における第１部分１２Ａの切り離しを簡易に行うことができる。また、所定方向に垂直な方向に延びる辺を有さない形状とすることで、（図３（ａ）の上下方向）所定方向の力による、第１部分の切り離しを簡易に行うことが可能となる。また、本実施形態では、ストラップ６４部分にミシン目７０を形成しないことから、ミシン目７０を介してストラップ６４が水に濡れるなどの事態が発生するのを防止することができる。これにより、ストラップ６４の腐食による開封確認用無線タグ１２の劣化を抑制することができる。
【００３５】
なお、上記実施形態では、第１部分１２Ａと第２部分１２Ｂとの境界部分にミシン目７０を形成する場合について説明したが、これに限られるものではない。例えば、難燃性フィルム６４ａ，６４ｂのうち、第１部分１２Ａと第２部分１２Ｂとの間の部分の厚さを、他の部分よりも薄くしてもよい。この場合、境界部分を圧接するなどして厚さを異ならせることとしてもよい。また、難燃性フィルム６４ａ，６４ｂの第１部分１２Ａと第２部分の境界部分の厚さを他の部分よりも薄くするとともに、境界部分の一部にミシン目を形成するようにしてもよい。この場合、ミシン目は、難燃性フィルム６４ａ，６４ｂの端部（図３（ａ）の紙面内上側の端部）近傍に設けることで、第１部分１２Ａの切り離しを容易にすることができる。
【００３６】
また、上記実施形態では、ミシン目７０が、難燃性フィルム６４ａ，６４ｂと、インレイ６０とを貫通するように形成されている場合について説明したが、これに限られるものではない。例えば、予めミシン目７０を形成しておいた難燃性フィルム６４ａ、６４ｂで、インレイ６０を挟むように製造することとしてもよい。この場合、インレイ６０には、ミシン目７０が形成されないこととなる。
【００３７】
なお、上記実施形態では、図３（ａ）の無線タグを例にとり、説明したが、これに限られるものではない。例えば、図１０（ａ）や図１０（ｂ）に示すようなアンテナ形状の無線タグを用いる場合であっても、ミシン目などの破断ガイド部７０を設けるようにすればよい。
【００３８】
また、上記実施形態では、第１部分として、図３（ａ）に示すような形状（五角形形状）を採用する場合について説明したが、これに限られるものではない。例えば、図１１（ａ）〜図１１（ｃ）に示すように、第１部分１１２Ａの形状として帯状（矩形状）の形状を採用してもよい。この場合においても、第１部分１１２Ａに残存するタグアンテナ５２は、図３（ａ）の状態に比べてわずかとなるので、通信性能は低下することになる。
【００３９】
なお、上記実施形態では、図１２（ａ）に示すような開封確認用無線タグ１１２を、メディカルキット１１０に取り付け、メディカルキット１１０の開封確認用に用いることとしてもよい。この場合、図１２（ｂ）に示すように、開封確認用無線タグ１２の第１部分１２Ａ’の一部を幅広な形状にすることで、第１部分１２Ａ’の強度向上を図ってもよい。なお、開封確認用無線タグ１２のメディカルキット１１０と接触する部分には、図１２（ｃ）に示すように、両面テープなどを設けておくものとする。
【００４０】
なお、上記実施形態及び変形例では、開封確認用無線タグ１１２を収納袋１０やメディカルキット１１０に設けた場合について説明したが、これに限られるものではない。その他の開封可能な物体（ボトルや箱など）の開封確認にも、上記実施形態の確認用無線タグを用いることができる。
【００４１】
上述した実施形態は本発明の好適な実施の例である。但し、これに限定されるものではなく、本発明の要旨を逸脱しない範囲内において種々変形実施可能である。
【００４２】
なお、以上の説明に関して更に以下の付記を開示する。
（付記１）アンテナと、
前記アンテナに対して電気的に接続された集積回路と、
前記アンテナ及び前記集積回路を一体的にパッケージングしたパッケージと、を備え、
前記パッケージの前記集積回路を含む第１部分と前記集積回路を含まない第２部分との間の境界部分は前記パッケージの前記境界部分以外の部分よりも破断しやすく構成されていることを特徴とする無線タグ。
（付記２）  前記境界部分に、少なくとも前記パッケージの端部に形成された切り込み部を有することを特徴とする付記１に記載の無線タグ。
（付記３）  前記切り込み部は、略平行に２つ形成され、
前記２つの切り込み部は、前記パッケージの端部からの長さが異なっていることを特徴とする付記２に記載の無線タグ。
（付記４）  前記第１部分は、前記パッケージの端部から所定方向に延びる帯状の部分であることを特徴とする付記１〜３のいずれかに記載の無線タグ。
（付記５）  前記第１部分は、前記パッケージの端部から所定方向に延びる平行な二辺を有し、かつ当該所定方向に垂直な方向に延びる辺を有さない多角形形状を有することを特徴とする付記１〜３のいずれかに記載の無線タグ。
（付記６）  前記境界部分に、ミシン目が付されていることを特徴とする付記１〜５のいずれかに記載の無線タグ。
（付記７）  前記境界部分は、他の部分よりも厚さが薄く設定されていることを特徴とする付記１〜６のいずれかに記載の無線タグ。
【符号の説明】
【００４３】
５２  タグアンテナ（アンテナ部）
５６  ＲＦＩＤチップ（集積回路）
６４ａ，６４ｂ  難燃性フィルム（パッケージ）
１２Ａ  第１部分
１２Ｂ  第２部分
７０  ミシン目
１２  開封確認用無線タグ（無線タグ）
７０Ａ〜７０Ｗ  切り込み部分（切り込み部）
【図１】
2013242731.tif 000003
【図２】
2013242731.tif 000004
【図３】
2013242731.tif 000005
【図４】
2013242731.tif 000006
【図５】
2013242731.tif 000007
【図６】
2013242731.tif 000008
【図７】
2013242731.tif 000009
【図８】
2013242731.tif 000010
【図９】
2013242731.tif 000011
【図１０】
2013242731.tif 000012
【図１１】
2013242731.tif 000013
【図１２】
2013242731.tif 000014